(57)【要約】【課題】互いに重なるように電気光学パネルに一方端が接続された複数の基板の他方端に配線基板を効率よく接続することのできる電気光学装置、電子機器、および投射型表示装置を提供すること。【解決手段】電気光学装置１は、互いに重なるように一方端が電気光学パネル１００に接続された２つの基板（第１基板３１および第２基板３２）を有し、２つの基板の他方端は各々、第１端子領域３１９および第２端子領域３２９になっている。第２基板３２は、第１基板３１の第１延在部分３１３と厚さ方向で重なるように直線的に延在した第３延在部分３２３と、第１端子領域３１９と第２端子領域３２９とが第３延在部分３２３の延在方向に対して交差する方向にずれて厚さ方向で重ならないように、第１基板３１の第２延在部分３１４と異なる位置で延在した第４延在部分３２４とを備えている。【選択図】図７
2019113722.tif 000002
【特許請求の範囲】
【請求項１】
電気光学パネルと、
第１端部が前記電気光学パネルに接続され、複数の端子が配列された第１端子領域が前記第１端部とは反対側の第２端部に設けられた可撓性の第１基板と、
第３端部が前記電気光学パネルに接続され、複数の端子が配列された第２端子領域が前記第３端部とは反対側の第４端部に設けられた可撓性の第２基板と、
を有し、
前記第１基板および前記第２基板を同じ平面上に展開したとき、
前記第１端子領域と前記第２端子領域とは、前記平面上で異なる位置にあって厚さ方向で重なっていないことを特徴とする電気光学装置。
【請求項２】
請求項１に記載の電気光学装置において、
前記第１基板および前記第２基板を同じ平面上に展開したとき、
前記第１基板は、前記第１端部から前記第２端部に向かう途中まで延在した第１延在部分と、前記第２端部を含み、前記第１端子領域が形成された第１端子領域形成部分と、前記第１延在部分から前記第１端子領域形成部分まで延在した第２延在部分と、を備え、
前記第２基板は、前記第３端部から前記第４端部に向かう途中まで前記第１延在部分と前記厚さ方向で重なるように延在した第３延在部分と、前記第４端部を含み、前記第２端子領域が形成された第２端子領域形成部分と、前記第１端子領域形成部分と前記第２端子領域形成部分とが前記第３延在部分の延在方向に対して交差する方向にずれて前記厚さ方向で重ならないように、前記第３延在部分の延在方向に対して交差する方向に曲がって前記第３延在部分から前記第２端子領域形成部分まで延在した第４延在部分と、を備えていることを特徴とする電気光学装置。
【請求項３】
請求項２に記載の電気光学装置において、
前記第１基板および前記第２基板を同じ平面上に展開したとき、
前記第２延在部分は、前記第１延在部分と同一方向に延在していることを特徴とする電気光学装置。
【請求項４】
請求項３に記載の電気光学装置において、
前記第１基板および前記第２基板を同じ平面上に展開したとき、
前記第１端子領域および前記第２端子領域は各々、前記第１延在部分の延在方向に対して交差する方向に沿って延在していることを特徴とする電気光学装置。
【請求項５】
請求項１に記載の電気光学装置において、
前記第１基板および前記第２基板を同じ平面上に展開したとき、
前記第１基板は、前記第１端部から前記第２端部に向かう途中まで延在した第１延在部分と、前記第２端部を含み、前記第１端子領域が形成された第１端子領域形成部分と、前記第１延在部分から前記第１端子領域形成部分まで延在した第２延在部分と、を備え、
前記第２基板は、前記第３端部から前記第４端部に向かう途中まで前記第１延在部分と前記厚さ方向で重なるように延在した第３延在部分と、前記第４端部を含み、前記第２端子領域が形成された第２端子領域形成部分と、前記第２延在部分と前記厚さ方向で重なるように前記第３延在部分から前記第２端子領域形成部分まで延在した第４延在部分と、を備えていることを特徴とする電気光学装置。
【請求項６】
請求項５に記載の電気光学装置において、
前記第１端子領域および前記第２端子領域は各々、前記第１延在部分の延在方向に沿って延在していることを特徴とする電気光学装置。
【請求項７】
請求項１に記載の電気光学装置において、
前記第１基板は、前記第２基板と同一方向に前記第２基板と異なる長さで延在していることを特徴とする電気光学装置。
【請求項８】
請求項１から７までの何れか一項に記載の電気光学装置において、
前記第１延在部分および前記第３延在部分の各々に駆動用ＩＣが実装されていることを特徴とする電気光学装置。
【請求項９】
請求項８に記載の電気光学装置において、
前記第１基板は、前記電気光学パネルに接続された一方端から延在した可撓性の基板に前記駆動用ＩＣが実装された第３基板と、前記第３基板の他方端に接続され、前記第１端子領域が設けられた可撓性の第４基板と、を備え、
前記第２基板は、前記電気光学パネルに接続された一方端から延在した可撓性の基板に前記駆動用ＩＣが実装された第５基板と、前記第５基板の他方端に接続され、前記第２端子領域が設けられた可撓性の第６基板と、を備えていることを特徴とする電気光学装置。
【請求項１０】
請求項９に記載の電気光学装置において、
前記第３基板と前記第５基板とは、形状および長さが同一であることを特徴とする電気光学装置。
【請求項１１】
請求項１から１０までの何れか一項に記載の電気光学装置を備えた電子機器であって、
前記第１基板および前記第２基板が各々、延在方向の途中位置で前記厚さ方向の同一方向に曲がった状態で前記第１端子領域および前記第２端子領域が配線基板に接続されていることを特徴とする電子機器。
【請求項１２】
請求項１１に記載の電子機器において、
前記第１端子領域および前記第２端子領域は、共通の前記配線基板に接続されていることを特徴とする電子機器。
【請求項１３】
請求項１から１０までの何れか一項に記載の電気光学装置を複数、備えた投射型表示装置であって、
前記複数の電気光学装置の各々に入射する光源光を出射する光源部と、
前記複数の電気光学装置の各々によって変調された光を合成するクロスダイクロイックプリズムと、
前記クロスダイクロイックプリズムの出射面から出射された画像光を投射する投射光学系と、
を有し、
前記複数の電気光学装置には、前記クロスダイクロイックプリズムの出射面に対向する第１入射面に対向する第１電気光学装置と、前記クロスダイクロイックプリズムの前記出射面と前記第１入射面との間に位置する第２入射面に対向する第２電気光学装置と、前記クロスダイクロイックプリズムの前記第２入射面に対向する第３入射面に対向する第３電気光学装置と、が含まれ、
前記第１電気光学装置、前記第２電気光学装置、および前記第３電気光学装置の各々では、前記第１基板および前記第２基板が各々、延在方向の途中位置で前記クロスダイクロイックプリズムとは反対側に向けて前記厚さ方向に曲がった状態で前記第１端子領域および前記第２端子領域が配線基板に接続されていることを特徴とする投射型表示装置。
【請求項１４】
請求項１３に記載の投射型表示装置において、
前記第１端子領域および前記第２端子領域は、共通の前記配線基板に接続されていることを特徴とする投射型表示装置。
【請求項１５】
請求項２または３に記載の電気光学装置を複数、備えた投射型表示装置であって、
前記複数の電気光学装置の各々に入射する光源光を出射する光源部と、
前記複数の電気光学装置の各々によって変調された光を合成するクロスダイクロイックプリズムと、
前記クロスダイクロイックプリズムの出射面から出射された画像光を投射する投射光学系と、
を有し、
前記複数の電気光学装置には、前記クロスダイクロイックプリズムの出射面に対向する第１入射面に対向する第１電気光学装置と、前記クロスダイクロイックプリズムの前記出射面と前記第１入射面との間に位置する第２入射面に対向する第２電気光学装置と、前記クロスダイクロイックプリズムの前記第２入射面に対向する第３入射面に対向する第３電気光学装置と、が含まれ、
前記第１電気光学装置、前記第２電気光学装置、および前記第３電気光学装置の各々では、前記第１基板および前記第２基板が各々、延在方向の途中位置で前記クロスダイクロイックプリズムとは反対側に向けて前記厚さ方向に曲がった状態で前記第１端子領域および前記第２端子領域が配線基板に接続され、
前記第２電気光学装置および前記第３電気光学装置の各々では、前記第４延在部分の曲がった方向が、前記投射光学系とは反対側の方向であることを特徴とする投射型表示装置。
【請求項１６】
請求項１３から１５の何れか一項に記載の投射型表示装置において、
前記第２電気光学装置および前記第３電気光学装置の各々は、前記第１延在部分、前記第２延在部分、前記第３延在部分、および前記第４延在部分が前記出射面を含む仮想面から前記投射光学系の側に張り出していないことを特徴とする投射型表示装置。
【発明の詳細な説明】
【技術分野】
【０００１】
本発明は、基板が接続された電気光学パネルを備えた電気光学装置、電子機器、および投射型表示装置に関するものである。
【背景技術】
【０００２】
液晶表示装置や有機エレクトロルミネッセンス装置等の電気光学装置では、複数の可撓性の基板の一方端が互いに重なるように電気光学パネルに接続された構造が採用されることがある（特許文献１参照）。特許文献１に記載の電気光学装置では、２枚の基板は、形状およびサイズが同一であり、互いに全体が重なった状態で延在している。
【先行技術文献】
【特許文献】
【０００３】
【特許文献１】特開２０１０−１０２２１９号公報
【発明の概要】
【発明が解決しようとする課題】
【０００４】
特許文献１に記載の電気光学装置では、２つの基板の各々の他方端に端子領域が設けられており、２つの基板の端子領域の各々が配線基板に接続される。その際、特許文献１に記載の電気光学装置のように、２つの基板が互いに全体が重なった構成では、２つの基板の他方端（端子領域）を共通の配線基板に接続するのが困難である。また、特許文献１に記載の電気光学装置のように、２つの基板が互いに全体が重なった構成では、２つの基板の他方端（端子領域）を各々別の配線基板に接続する場合も、一方の基板の他方端（端子領域）を配線基板に接続する際、他方の基板が邪魔になるため、接続作業に多大な手間がかかる。
【０００５】
以上の問題点に鑑みて、本発明の課題は、互いに重なるように電気光学パネルに一方端が接続された複数の基板の他方端に配線基板を効率よく接続することのできる電気光学装置、電子機器、および投射型表示装置を提供することにある。
【課題を解決するための手段】
【０００６】
上記課題を解決するため、本発明に係る電気光学装置の一態様は、電気光学パネルと、第１端部が前記電気光学パネルに接続され、複数の端子が配列された第１端子領域が前記第１端部とは反対側の第２端部に設けられた可撓性の第１基板と、第３端部が前記電気光学パネルに接続され、複数の端子が配列された第２端子領域が前記第３端部とは反対側の第４端部に設けられた可撓性の第２基板と、を有し、前記第１基板および前記第２基板を同じ平面上に展開したとき、前記第１端子領域と前記第２端子領域とは、前記平面上で異なる位置にあって前記厚さ方向で重なっていないことを特徴とする。
【０００７】
本発明では、電気光学パネルに第１基板および第２基板が厚さ方向で重なった状態で接続されている。このため、電気光学パネルの周囲で第１基板および第２基板を狭いスペース内で引き回すことができる。この場合でも、第１端子領域と第２端子領域とは、第１基板および第２基板の面内方向で異なる位置にあって厚さ方向で重なっていない。このため、一方の基板の他方端（端子領域）を配線基板に接続した後、他方の基板の他方端（端子領域）を配線基板に接続する際、一方の基板が邪魔にならないため、接続作業を効率よく行うことができる。
【０００８】
本発明において、前記第１基板および前記第２基板を同じ平面上に展開したとき、前記第１基板は、前記第１端部から前記第２端部に向かう途中まで延在した第１延在部分と、前記第２端部を含み、前記第１端子領域が形成された第１端子領域形成部分と、前記第１延在部分から前記第１端子領域形成部分まで延在した第２延在部分と、を備え、前記第２基板は、前記第３端部から前記第４端部に向かう途中まで前記第１延在部分と前記厚さ方向で重なるように延在した第３延在部分と、前記第４端部を含み、前記第２端子領域が形成された第２端子領域形成部分と、前記第１端子領域形成部分と前記第２端子領域形成部分とが前記第３延在部分の延在方向に対して交差する方向にずれて前記厚さ方向で重ならないように、前記第３延在部分の延在方向に対して交差する方向に曲がって前記第３延在部分から前記第２端子領域形成部分まで延在した第４延在部分と、を備えている態様を採用することができる。かかる態様によれば、第１基板の第２延在部分と第２基板の第４延在部分とは、異なる方向に延在しているため、第１端子領域形成部分は第２基板と厚さ方向で重ならず、第２端子領域形成部分は第１基板と厚さ方向で重ならない。このため、一方の基板の他方端（端子領域）を配線基板に接続した後、他方の基板の他方端（端子領域）を配線基板に接続する際、一方の基板が邪魔にならないため、接続作業を効率よく行うことができる。
【０００９】
本発明において、前記第１基板および前記第２基板を同じ平面上に展開したとき、前記第２延在部分は、前記第１延在部分と同一方向に延在している態様を採用することができる。かかる態様では、第１基板が一定の方向に延在し、第２基板のみが曲がっているため、第１基板および第２基板を配置するスペースが狭く済む。かかる態様の場合、前記第１基板および前記第２基板を同じ平面上に展開したとき、前記第１端子領域および前記第２端子領域は各々、前記第１延在部分の延在方向に対して交差する方向に沿って延在している態様を採用することができる。
【００１０】
本発明において、前記第１基板および前記第２基板を同じ平面上に展開したとき、前記第１基板は、前記第１端部から前記第２端部に向かう途中まで延在した第１延在部分と、前記第２端部を含み、前記第１端子領域が形成された第１端子領域形成部分と、前記第１延在部分から前記第１端子領域形成部分まで延在した第２延在部分と、を備え、前記第２基板は、前記第３端部から前記第４端部に向かう途中まで前記第１延在部分と前記厚さ方向で重なるように延在した第３延在部分と、前記第４端部を含み、前記第２端子領域が形成された第２端子領域形成部分と、前記第２延在部分と前記厚さ方向で重なるように前記第３延在部分から前記第２端子領域形成部分まで延在した第４延在部分と、を備えている態様を採用することができる。かかる態様でも、第１端子領域形成部分は第２基板と厚さ方向で重ならず、第２端子領域形成部分は第１基板と厚さ方向で重ならない。このため、一方の基板の他方端（端子領域）を配線基板に接続した後、他方の基板の他方端（端子領域）を配線基板に接続する際、一方の基板が邪魔にならないため、接続作業を効率よく行うことができる。また、第１延在部分と第３延在部分とが重なり、第２延在部分と第４延在部分とが重なっているため、第１基板および第２基板を配置するスペースが狭く済む。かかる態様の場合、前記第１端子領域および前記第２端子領域は各々、前記第１延在部分の延在方向に沿って延在している態様を採用することができる。
【００１１】
本発明において、前記第１基板は、前記第２基板と同一方向に前記第２基板と異なる長さで延在している態様を採用することができる。この場合でも、第１端子領域と第２端子領域とは、第１基板および第２基板の面内方向で異なる位置にあり、第１端子領域と第２端子領域とが厚さ方向で重なっていない。このため、一方の基板の他方端（端子領域）を配線基板に接続した後、他方の基板の他方端（端子領域）を配線基板に接続する際、一方の基板が邪魔にならないため、接続作業を効率よく行うことができる。また、第１基板と第２基板とは広い範囲で重なっているため、第１基板および第２基板を配置するスペースが狭く済む。
【００１２】
本発明において、前記第１延在部分および前記第３延在部分の各々に駆動用ＩＣが実装されている態様を採用することができる。
【００１３】
本発明において、前記第１基板は、前記電気光学パネルに接続された一方端から延在した可撓性の基板に前記駆動用ＩＣが実装された第３基板と、前記第３基板の他方端に接続され、前記第１端子領域が設けられた可撓性の第４基板と、を備え、前記第２基板は、前記電気光学パネルに接続された一方端から延在した可撓性の基板に前記駆動用ＩＣが実装された第５基板と、前記第５基板の他方端に接続され、前記第２端子領域が設けられた可撓性の第６基板と、を備えている態様を採用することができる。かかる態様によれば、第１基板および第２基板の一部のみに高価なＣＯＦ基板（第３基板および第５基板）を用い、安価な延長基板（第４基板および第６基板）によって第１基板および第２基板を適正な長さとすることができる。
【００１４】
本発明において、前記第３基板と前記第５基板とは、形状および長さが同一である態様を採用することができる。かかる態様によれば、高価なＣＯＦ基板については第１基板と第２基板とにおいて同一仕様とすることができるので、コストを低減することができる。
【００１５】
本発明を適用した電気光学装置を備えた電子機器において、前記第１基板および前記第２基板が各々、延在方向の途中位置で前記厚さ方向の同一方向に曲がった状態で前記第１端子領域および前記第２端子領域が配線基板に接続されている態様を採用することができる。この場合、前記第１端子領域および前記第２端子領域は、共通の前記配線基板に接続されている態様を採用することができる。かかる態様によれば、第１基板と第２基板とにおいて配線基板を共用できるので、コストを低減することができる。
【００１６】
本発明を適用した電気光学装置を複数、備えた投射型表示装置において、前記複数の電気光学装置の各々に入射する光源光を出射する光源部と、前記複数の電気光学装置の各々によって変調された光を合成するクロスダイクロイックプリズムと、前記クロスダイクロイックプリズムの出射面から出射された画像光を投射する投射光学系と、を有し、前記複数の電気光学装置には、前記クロスダイクロイックプリズムの出射面に対向する第１入射面に対向する第１電気光学装置と、前記クロスダイクロイックプリズムの前記出射面と前記第１入射面との間に位置する第２入射面に対向する第２電気光学装置と、前記クロスダイクロイックプリズムの前記第２入射面に対向する第３入射面に対向する第３電気光学装置と、が含まれ、前記第１電気光学装置、前記第２電気光学装置、および前記第３電気光学装置の各々では、前記第１基板および前記第２基板が各々、延在方向の途中位置で前記クロスダイクロイックプリズムとは反対側に向けて前記厚さ方向に曲がった状態で前記第１端子領域および前記第２端子領域が配線基板に接続されている態様を採用することができる。この場合、前記第１端子領域および前記第２端子領域は、共通の前記配線基板に接続されている態様を採用することができる。かかる態様によれば、第１基板と第２基板とにおいて配線基板を共用できるので、コストを低減することができる。
【００１７】
本発明を適用した電気光学装置を複数、備えた投射型表示装置において、前記複数の電気光学装置の各々に入射する光源光を出射する光源部と、前記複数の電気光学装置の各々によって変調された光を合成するクロスダイクロイックプリズムと、前記クロスダイクロイックプリズムの出射面から出射された画像光を投射する投射光学系と、を有し、前記複数の電気光学装置には、前記クロスダイクロイックプリズムの出射面に対向する第１入射面に対向する第１電気光学装置と、前記クロスダイクロイックプリズムの前記出射面と前記第１入射面との間に位置する第２入射面に対向する第２電気光学装置と、前記クロスダイクロイックプリズムの前記第２入射面に対向する第３入射面に対向する第３電気光学装置と、が含まれ、前記第１電気光学装置、前記第２電気光学装置、および前記第３電気光学装置の各々では、前記第１基板および前記第２基板が各々、延在方向の途中位置で前記クロスダイクロイックプリズムとは反対側に向けて前記厚さ方向に曲がった状態で前記第１端子領域および前記第２端子領域が配線基板に接続され、前記第２電気光学装置および前記第３電気光学装置の各々では、前記第４延在部分の曲がった方向が、前記投射光学系とは反対側の方向である態様を採用することができる。
【００１８】
本発明に係る投射型表示装置において、前記第２電気光学装置および前記第３電気光学装置の各々は、前記第１延在部分、前記第２延在部分、前記第３延在部分、および前記第４延在部分が前記出射面を含む仮想面から前記投射光学系の側に張り出していない態様を採用することができる。かかる態様によれば、投射光学系においてフォーカシング駆動を行うアクチュエータ等を配置するスペースや、投射光学系の可動領域等を前記仮想面の近傍に確保することができる。
【図面の簡単な説明】
【００１９】
【図１】本発明を適用した電子機器の一例としての投射型表示装置の主要部分の平面構成の一態様を示す説明図。
【図２】図１に示す主要部分を側方からみたときの説明図。
【図３】図１に示す投射型表示装置に用いた光学ユニットの説明図。
【図４】図１に示す光学ユニットの詳細構成を示す説明図。
【図５】本発明の実施形態１に係る電気光学装置の一態様を斜め方向からみた様子を模式的に示す説明図。
【図６】図５に示す電気光学装置において、電気光学パネルからホルダーを外した状態の分解斜視図。
【図７】図５に示す電気光学装置の平面的構成を模式的に示す説明図。
【図８】図５に示す電気光学装置の断面構成を示す説明図。
【図９】図７等に示す電気光学装置をクロスダイクロイックプリズムの周りに配置した様子を模式的に示す斜視図。
【図１０】図７等に示す電気光学装置をクロスダイクロイックプリズムの周りに配置した様子を模式的に示す平面図。
【図１１】本発明の実施形態２に係る電気光学装置の平面的構成を模式的に示す説明図。
【図１２】図１１に示す電気光学装置をクロスダイクロイックプリズムの周りに配置した様子を模式的に示す説明図。
【図１３】本発明の実施形態３に係る電気光学装置の平面的構成を模式的に示す説明図。
【図１４】図１３に示す電気光学装置をクロスダイクロイックプリズムの周りに配置した様子を模式的に示す説明図である。
【図１５】本発明の実施形態４に係る投射型表示装置（電子機器）において、電気光学装置をクロスダイクロイックプリズムの周りに配置した様子を模式的に示す説明図。
【図１６】本発明の実施形態５に係る電気光学装置の分解斜視図。
【図１７】図１６に示す電気光学装置の断面構成を示す説明図。
【発明を実施するための形態】
【００２０】
図面を参照して、本発明の実施の形態を説明する。なお、以下の説明で参照する図においては、各部材等を図面上で認識可能な程度の大きさとするため、各部材の縮尺相違させるともに、端子等の数を減らしてある。以下、電子機器（投射型表示装置）については、ａ軸、ｂ軸およびｃ軸からなる直交座標系を用いて各方向を表し、電気光学装置については、ｘ軸、ｙ軸およびｚ軸からなる直交座標系を用いて各方向を表す。
【００２１】
［実施の形態１］
（投射型表示装置（電子機器）の構成）
図１は、本発明を適用した電子機器の一例としての投射型表示装置の主要部分の平面構成の一態様を示す説明図である。図２は、図１に示す主要部分を側方からみたときの説明図である。図３は、図１に示す投射型表示装置に用いた光学ユニットの説明図である。図１および図２に示す投射型表示装置２００において、外装ケース２０２、２０５の内部には、その後端側に電源ユニット２０７が配置され、電源ユニット２０７に装置前側（ｂ軸方向の一方側ｂ１）で隣り合う位置に光源部２０８および光学ユニット２０９が配置されている。外装ケース２０２の内部には、光学ユニット２０９の前側の中央に投射光学系２０６の基端側が位置している。光学ユニット２０９のａ軸方向の一方側ａ１には、入出力インターフェース回路が搭載されたインターフェース基板２１１が装置前後方向（ｂ軸方向）に向けて配置され、インターフェース基板２１１に平行に、ビデオ信号処理回路が搭載されたビデオ基板２１２が配置されている。光源部２０８を含む光学ユニット２０９の上側（ｃ軸方向の一方側ｃ１）には装置駆動制御用の制御基板２１３が配置され、装置前端側の左右の角の各々にはスピーカー２１４Ｒ、２１４Ｌが配置されている。
【００２２】
光学ユニット２０９の上方および下方には装置内部冷却用の吸気ファン２１５Ａ、２１５Ｂが配置されている。また、光源部２０８の裏面側である装置側面には排気ファン２１６が配置されている。さらに、インターフェース基板２１１およびビデオ基板２１２の端に面する位置には、吸気ファン２１５Ａからの冷却用空気流を電源ユニット２０７内に吸引するための補助冷却ファン２１７が配置されている。これらのファンのうち、吸気ファン２１５Ｂは、後述する電気光学パネル１００に対する冷却用ファン（冷却装置）として機能している。
【００２３】
図３において、光学ユニット２０９を構成する各光学素子は、色光合成手段を構成しているクロスダイクロイックプリズム２２０を含めて、ＭｇやＡｌ等の金属からなる上ライトガイド２５１または下ライトガイド２５２により支持されている。上ライトガイド２５１および下ライトガイド２５２は、アッパーケース２０３およびロアーケース２０４に固定ねじにより固定されている。
【００２４】
（光学ユニット２０９の詳細構成）
図４は、図１に示す光学ユニット２０９の詳細構成を示す説明図である。図４に示すように、光学ユニット２０９は、光源ランプ９０５（光源部２０８）と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット２０９は、各色光束を変調する電気光学パネル（ライトバルブ）としての３枚の透過型の電気光学装置１（Ｒ）、１（Ｇ）、１（Ｂ）と、変調された色光束を合成する色光合成光学系としてのクロスダイクロイックプリズム２２０と、合成された光束を投射面上に拡大投射する投射光学系２０６とを有している。また、色光分離光学系９２４によって分離された各色光束のうち、青色光束Ｂに対応する電気光学装置１（Ｂ）に導くリレー光学系９２７を備えている。照明光学系９２３は、反射ミラー９３１を備えており、光源ランプ９０５からの出射光の光軸Ｌａを装置前方向に向けて直角に折り曲げるようにしている。この反射ミラー９３１を挟み、インテグレーターレンズ９２１、９２２が前後に直交する状態に配置されている。
【００２５】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００２６】
色光分離光学系９２４の赤色光束および緑色光束の出射部９４４、９４５の出射側には、それぞれ集光レンズ９５１、９５２が配置されている。従って、各出射部から出射した赤色光束および緑色光束は、これらの集光レンズ９５１、９５２に入射して平行化される。平行化された赤色および緑色の光束Ｒ、Ｇは、偏光板９６０（Ｒ）、９６０（Ｇ）によって偏光方向が揃えられた後、電気光学装置１（Ｒ）、１（Ｇ）に入射して変調され、各色光に対応した画像情報が付加される。すなわち、これらの電気光学装置１（Ｒ）、１（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００２７】
一方、青色光束Ｂは、リレー光学系９２７を介し、さらに、偏光板９６０（Ｂ）によって偏光方向が揃えられた後、対応する電気光学装置１（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学装置１（Ｂ）の手前側に配置した集光レンズ９５３から構成される。各色光束の光路の長さ、すなわち、光源ランプ９０５から各液晶パネルまでの距離は、青色光束Ｂが最も長くなり、従って、この光束の光量損失が最も多くなる。しかし、リレー光学系９２７を介在させることにより、光量損失を抑制できる。
【００２８】
各電気光学装置１（Ｒ）、１（Ｇ）、１（Ｂ）を通って変調された各色光束は、偏光板９６１（Ｒ）、９６１（Ｇ）、９６１（Ｂ）に入射し、これを透過した光がクロスダイクロイックプリズム２２０に入射して合成される。ここで合成された画像光は、複数のレンズ系を備えた投射光学系２０６を介して、所定の位置にあるスクリーン等の被投射面Ｌｂ上に拡大投射される。
【００２９】
（電気光学装置１の構成）
図５〜図８を参照して、電気光学装置１の構成を説明する。図５は、本発明の実施形態１に係る電気光学装置１の一態様を斜め方向からみた様子を模式的に示す説明図である。図６は、図５に示す電気光学装置１において、電気光学パネル１００からホルダー７０を外した状態の分解斜視図である。図７は、図５に示す電気光学装置１の平面的構成を模式的に示す説明図である。図８は、図５に示す電気光学装置１の断面構成を示す説明図であり、電気光学装置１を電気光学パネル１００および第２基板３２に沿って切断した様子を模式的に示してある。なお、図４に示す電気光学装置１（Ｒ）、１（Ｇ）、１（Ｂ）の基本的な構成は同一であるため、共通の構成を説明する際には、電気光学装置１（Ｒ）、１（Ｇ）、１（Ｂ）については、対応する色を示す（Ｒ）（Ｇ）（Ｂ）を付さずに、電気光学装置１として説明する。また、図５〜図８では、第１基板３１および第２基板３２を同じ平面上に展開した状態を示してある。
【００３０】
図５、図６、図７および図８において、電気光学装置１は、電気光学パネル１００と、電気光学パネル１００の１辺に接続された複数の基板（第１基板３１および第２基板３２）と、電気光学パネル１００を厚さ方向（ｚ軸方向）の両側から支持するホルダー７０とを有している。電気光学装置１は、図４等を参照して説明したライトバルブ等を構成する液晶装置であり、電気光学装置１は、電気光学パネル１００として液晶パネルを備えている。
【００３１】
電気光学パネル１００は、画素電極１１８等が形成された素子基板１０１に対して、共通電極（図示せず）等が形成された対向基板１０２がシール材（図示せず）によって貼り合わされている。電気光学パネル１００において、シール材で囲まれた領域には液晶層（図示せず）が設けられている。本形態の電気光学パネル１００は透過型液晶パネルである。従って、素子基板１０１および対向基板１０２には、耐熱ガラスや石英基板等の透光性基板が用いられている。
【００３２】
電気光学パネル１００において、画素電極１１８がｘ軸方向およびｙ軸方向に配列されている領域が画素領域１１０であり、電気光学パネル１００において、画素領域１１０と重なる領域が表示領域である。素子基板１０１は、対向基板１０２からｙ軸方向に張り出した張出部１０５を有しており、張出部１０５の縁（１辺１０５ａ）に沿って画像信号入力用の第１端子１６１を含む複数の端子が所定のピッチで配列されている。また、張出部１０５において、第１端子１６１と画素領域１１０との間には、画像信号入力用の第２端子１６２を含む複数の端子が所定のピッチで配列されている。従って、第１端子１６１と第２端子１６２とは、ｙ軸方向でずれた位置で素子基板１０１の縁に沿って配列されている。図６および図７では、第１端子１６１および第２端子１６２がｘ軸方向において同じ位置が配置されているが、第１端子１６１および第２端子１６２がｘ軸方向で１／２ピッチずれてもよい。
【００３３】
電気光学パネル１００では、対向基板１０２の側から入射した光源光Ｌ（図５等参照）が素子基板１０１の側から出射する間に変調され、表示光として出射される。電気光学パネル１００は、対向基板１０２の素子基板１０１側とは反対側の面および素子基板１０１の対向基板１０２側とは反対側の面の少なくとも一方に重ねて配置された防塵ガラスを有している。本形態において、電気光学パネル１００は、対向基板１０２の素子基板１０１側とは反対側の面に接着剤等を介して重ねて配置された第１防塵ガラス１０３と、素子基板１０１の対向基板１０２側とは反対側の面に接着剤等を介して重ねて配置された貼付された第２防塵ガラス１０４とを有している。
【００３４】
ホルダー７０は、電気光学パネル１００を厚さ方向（ｚ軸方向）の一方側ｚ１から支持する金属製の第１ホルダー部材７１と、電気光学パネル１００を厚さ方向の他方側ｚ２から支持する金属製の第２ホルダー部材７２とを有している。第１ホルダー部材７１と第２ホルダー部材７２とは、例えば、第１ホルダー部材７１および第２ホルダー部材７２に形成された穴７１１、７２１にボルト（図示せす）を止める等の方法によって結合されている。また、第１ホルダー部材７１および第２ホルダー部材７２には、電気光学パネル１００の表示領域（画素領域１１０）と重なる位置に、光源光や表示光を通す開口部７１２、７２２が形成されている。なお、ホルダー７０は、ｙ軸方向の一方側に張り出して、後述する第１基板３１および第２基板３２に部分的に重なる放熱板部（図示せず）を有する態様であってもよい。
【００３５】
電気光学装置１において、電気光学パネル１００には複数の基板が接続されており、本形態において、電気光学パネル１００には２つの基板（第１基板３１および第２基板３２）が接続されている。具体的には、電気光学装置１は、一方端である第１端部３１１が電気光学パネル１００の素子基板１０１に接続された可撓性の第１基板３１と、第１基板３１に厚さ方向で重なった状態で、一方端である第３端部３２１が電気光学パネル１００の素子基板１０１に接続された可撓性の第２基板３２とを有しており、第１基板３１および第２基板３２は、電気光学パネル１００からｙ軸方向に延在している。第１基板３１の一方面３１６および他方面３１７のうち、第２基板３２とは反対側の一方面３１６には、素子基板１０１と重なる第１端部３１１に複数の第１出力電極３１５が形成されており、複数の第１出力電極３１５は各々、第１端子１６１に接続されている。第２基板３２の一方面３２６および他方面３２７のうち、第１基板３１が位置する側の一方面３２６には、素子基板１０１と重なる第３端部３２１に複数の第２出力電極３２５が形成されており、複数の第２出力電極３２５は各々、第２端子１６２に接続されている。第１基板３１には、第１端部３１１とは反対側の他方端である第２端部３１２に、複数の端子（図示せず）が配列された第１端子領域３１９が設けられ、第２基板３２には、第３端部３２１とは反対側の他方端である第４端部３２２に、複数の端子（図示せず）が配列された第２端子領域３２９が設けられている。第１端子領域３１９および第２端子領域３２９には、上位の制御回路等が、後述する配線基板を介して電気的に接続される。
【００３６】
本形態では、以下に説明するように、第１基板３１および第２基板３２を同じ平面上（ｘｙ平面上）に展開したとき、第１端子領域３１９と第２端子領域３２９とは、上記の平面上で異なる位置にあって厚さ方向で重なっていない。
【００３７】
より具体的には、図７に示すように、第１基板３１は、第１端部３１１から第２端部３１２に向かう途中までｙ軸方向に直線的に延在した第１延在部分３１３と、第２端部３１２を含み、第１端子領域３１９が形成された第１端子領域形成部分３１８と、第１延在部分３１３から第１端子領域形成部分３１８までｙ軸方向に直線的に延在した第２延在部分３１４とを備えている。第１端子領域形成部分３１８において、第１基板３１の第２端部３１２（第１端子領域３１９）は、第１延在部分３１３および第２延在部分３２３の延在方向と直交するｘ軸方向に沿って延在している。
【００３８】
第２基板３２は、第３端部３２１から第４端部３２２に向かう途中まで第１延在部分３１３と厚さ方向（ｚ軸方向）で重なるようにｙ軸方向に延在した第３延在部分３２３と、第４端部３２２を含み、第２端子領域３２９が形成された第２端子領域形成部分３２８と、第３延在部分３１３から第２端子領域形成部分３２８まで延在した第４延在部分３２４とを備えている。ここで、第４延在部分３２４は、第１端子領域形成部分３１８と第２端子領域形成部分３２８とが第３延在部分３１４の延在方向に対して交差する方向にずれて厚さ方向で重ならないように、第３延在部分３２３の延在方向に対して交差する方向に斜めに曲がって第３延在部分３２３から第２端子領域形成部分３２８まで延在している。第２端子領域形成部分３２８において、第４端部３２２（第２端子領域３２９）は、第１基板３１の第２端部３１２（第１端子領域３１９）に対して、第１延在部分３１３および第２延在部分３２３の延在方向に対して直交するｘ軸方向でずれた位置において、第１延在部分３１３および第２延在部分３２３の延在方向と直交するｘ軸方向に沿って延在している。
【００３９】
第１基板３１の一方面３１６において、第１延在部分３１３には、第１駆動用ＩＣ２１、およびキャパシター等の電子部品５１６が実装されており、第１駆動用ＩＣ２１から電気光学パネル１００には第１基板３１を介して画像信号等が出力される。第２基板３２の一方面３２６において、第３延在部分３２３には、第２駆動用ＩＣ２２、およびキャパシター等の電子部品５２６が実装されており、第２駆動用ＩＣ２２から電気光学パネル１００には第２基板３２を介して画像信号等が出力される。
【００４０】
以上説明したように、本形態の電気光学装置１においては、第１基板３１の第１延在部分３１３と第２基板３２の第３延在部分３２３とは、重なった状態で直線的に延在している。このため、電気光学パネル１００の周囲で第１基板３１および第２基板３２を狭いスペース内で引き回すことができる。この場合でも、第１基板３１の第２延在部分３１４と第２基板３２の第４延在部分３２４とは、ｘ軸方向でずれた位置で延在しているため、第１端子領域３１９（第１端子領域形成部分３１８）と第２端子領域３２９（第２端子領域形成部分３２８）とは、第１基板３１および第２基板３２の面内方向でずれた位置にあって厚さ方向で重なっていない。このため、第１基板３１の第１端子領域３１９、および第２基板３２の第２端子領域３２９を共通の配線基板に接続することができるとともに、接続作業を効率よく行うことができる。すなわち、電子機器のフレーム等に予め固定された共通の配線基板に対して第１基板３１および第２基板３２の一方を接続した後、他方の基板を接続する場合でも、一方の基板が邪魔にならないため、基板の接続工程を効率よく行うことができる。また、第１端子領域３１９、および第２基板３２の第２端子領域３２９を別々の配線基板に接続する場合でも、第１基板３１および第２基板３２の一方を接続した後、他方の基板を接続する際、一方の基板が邪魔にならないため、基板の接続工程を効率よく行うことができる。
【００４１】
（電気光学装置１の投射型表示装置２００への搭載例）
図９は、図７等に示す電気光学装置１をクロスダイクロイックプリズム２２０の周りに配置した様子を模式的に示す斜視図である。図１０は、図７等に示す電気光学装置１をクロスダイクロイックプリズム２２０の周りに配置した様子を模式的に示す平面図である。
【００４２】
図９および図１０に示すように、本形態では、電気光学装置１（Ｒ）、（Ｇ）、（Ｂ）を投射型表示装置２００（電子機器）に搭載する際、第１基板３１および第２基板３２が各々、延在方向の途中位置で厚さ方向の同一方向に曲がった状態で第１端子領域３１９および第２端子領域３２９が共通の配線基板８０（第１配線基板８１、第２配線基板８２、および第３配線基板８３）に接続される。
【００４３】
本形態では、複数の電気光学装置１がクロスダイクロイックプリズム２２０の周りに配置される。より具体的には、クロスダイクロイックプリズム２２０の出射面２２５に対向する第１入射面２２１に対向するように、第１電気光学装置としての電気光学装置１（Ｇ）が配置される。また、クロスダイクロイックプリズム２２０の出射面２２５と第１入射面２２１との間に位置する第２入射面２２２に対向するように、第２電気光学装置としての電気光学装置１（Ｒ）が配置される。また、クロスダイクロイックプリズム２２０の第２入射面２２２に対向する第３入射面２２３に対向するように、第３電気光学装置としての電気光学装置１（Ｂ）が配置される。
【００４４】
また、３つの電気光学装置１（Ｒ）、（Ｇ）、（Ｂ）の各々では、第１基板３１および第２基板３２が各々、延在方向の途中位置でクロスダイクロイックプリズム２２０とは反対側に向けて厚さ方向に湾曲した状態に配置されている。この状態で、第１端子領域３１９および第２端子領域３２９は、電気光学装置１（Ｒ）、（Ｇ）、（Ｂ）に対する入射光と平行に配置された共通の配線基板８０（第１配線基板８１、第２配線基板８２、および第３配線基板８３）に接続されている。それ故、電気光学装置１（Ｒ）、（Ｇ）、（Ｂ）のいずれにおいても、第１基板３１および第２基板３２の先端側や、配線基板８０に妨げられることなく、電気光学装置１（Ｒ）、（Ｇ）、（Ｂ）に対する入射光の光路を確保することができる。
【００４５】
本形態では、第１端子領域３１９および第２端子領域３２９が各々、例えば、ボード・ツー・ボードコネクターのプラグとして構成されている。従って、第１配線基板８１、第２配線基板８２、および第３配線基板８３の各々に、第１端子領域３１９が挿入されるボード・ツー・ボードコネクターのソケット８０１、および第２端子領域３２９が挿入されるボード・ツー・ボードコネクターのソケット８０２が形成されている。本形態において、配線基板８０では、ソケット８０１、８０２が、ソケット８０１、８０２の延在方向で隣り合うように配置されている。従って、第１端子領域３１９および第２端子領域３２９を各々、ソケット８０１、８０２に容易に挿入することができる。また、３つの電気光学装置１（Ｒ）、（Ｇ）、（Ｂ）の各々では、第１基板３１および第２基板３２の第１端子領域３１９および第２端子領域３２９が共通の配線基板８０に接続されるため、コストを低減することができる。
【００４６】
ここで、３つの電気光学装置１（Ｒ）、（Ｇ）、（Ｂ）のうち、電気光学装置１（Ｇ）、（Ｂ）は、図７に示す構成を有する。これに対して、電気光学装置１（Ｒ）は、基本的な構成が、電気光学装置１（Ｒ）と同様であるが、第４延在部分３２４の曲がった方向が電気光学装置１（Ｒ）と逆である。従って、投射光学系２０６が配置された前側（ｂ軸方向の一方側ｂ１）の電気光学装置１（Ｒ）、（Ｂ）のいずれにおいても、第１基板３１が直線的に配置される。すなわち、電気光学装置１（Ｒ）、（Ｂ）のいずれにおいても、第２基板３２の第４延在部分３２４が、投射光学系２０６が位置する側とは反対側に曲がった状態となる。それ故、電気光学装置１（Ｒ）、（Ｂ）の各々において、第１基板３１および第２基板３２は、図７を参照して説明した第１延在部分３１３、第２延在部分３１４、第１端子領域形成部分３１８、第３延在部分３２３、第４延在部分３２４、および第２端子領域形成部分３２８を含む基板全体が、出射面２２５を含む仮想面Ｆから投射光学系２０６の側に張り出さない。よって、投射光学系２０６においてフォーカシング駆動を行うアクチュエータ等を配置するスペースや、投射光学系２０６の可動領域等を仮想面Ｆの近傍に確保することができる。
【００４７】
［実施形態２］
図１１は、本発明の実施形態２に係る電気光学装置１の平面的構成を模式的に示す説明図である。図１２は、図１１に示す電気光学装置１をクロスダイクロイックプリズム２２０の周りに配置した様子を模式的に示す説明図である。なお、本形態、および後述する実施形態３、４、５に係る電気光学装置１の基本的な構成は、実施形態１と同様であるため、対応する部分には同一の符号を付してそれらの説明を省略する。
【００４８】
図１１に示すように、本実施形態の電気光学装置１は、実施形態１と同様、第１端部３１１が電気光学パネル１００の素子基板１０１の端部に接続された可撓性の第１基板３１と、第１基板３１に厚さ方向で重なった状態で第３端部３２１が電気光学パネル１００の素子基板１０１の端部に接続された可撓性の第２基板３２とを有しており、第１基板３１および第２基板３２は、電気光学パネル１００からｙ軸方向に延在している。
【００４９】
第１基板３１には、複数の端子（図示せず）が配列された第１端子領域３１９が第１端部３１１とは反対側の第２端部３１２に設けられ、第２基板３２には、複数の端子（図示せず）が配列された第２端子領域３２９が第３端部３２１とは反対側の第４端部３２２に設けられている。第１端子領域３１９および第２端子領域３２９には、上位の制御回路等が電気的に接続される。
【００５０】
本形態では、以下に説明するように、第１基板３１および第２基板３２を同じ平面上（ｘｙ平面上）に展開したとき、第１端子領域３１９と第２端子領域３２９とは、上記の平面上で異なる位置にあって厚さ方向で重なっていない。
【００５１】
より具体的には、第１基板３１は、第１端部３１１から第２端部３１２に向かう途中までｙ軸方向に延在した第１延在部分３１３と、第２端部３１２を含み、第１端子領域３１９が形成された第１端子領域形成部分３１８と、第１延在部分３１３から第１端子領域形成部分３１８までｙ軸方向に延在した第２延在部分３１４とを備えている。第１端子領域形成部分３１８は、第２延在部分３１４からｘ軸方向に突出しており、第１基板３１の第１端部３１２（第１端子領域３１９）は、第２延在部分３１４の延在方向と直交するｘ軸方向に沿って延在している。
【００５２】
第２基板３２は、第３端部３２１から第４端部３２２に向かう途中まで第１延在部分３１３と厚さ方向（ｚ軸方向）で重なるようにｙ軸方向に延在した第３延在部分３２３と、第４端部３２２を含み、第２端子領域３２９が形成された第２端子領域形成部分３２８と、第３延在部分３１３から第２端子領域形成部分３２８まで延在した第４延在部分３２４とを備えている。ここで、第４延在部分３２４は、第２延在部分３１４と厚さ方向で重なるように第３延在部分３２４から第２端子領域形成部分３２８まで延在しており、第２端子領域形成部分３２８は、第４延在部分３２４からｘ軸方向において第１端子領域形成部分３１８とは反対側に突出している。従って、第１基板３１の第２端部３１２（第１端子領域３１９）、および第２基板３２の第４端部３２２（第２端子領域３２９）は、ｘ軸方向で離間する位置で第１延在部分３１３の延在方向（ｙ軸方向）に沿って延在している。
【００５３】
第１基板３１の一方面３１６において、第１延在部分３１３には、第１駆動用ＩＣ２１、およびキャパシター等の電子部品５１６が実装されており、第２基板３２の一方面３２６において、第３延在部分３２３には、第２駆動用ＩＣ２２、およびキャパシター等の電子部品５２６が実装されている。
【００５４】
本形態において、第１基板３１における第１端部３１１から第１駆動用ＩＣ２１までの距離と、第２基板３２における第３端部３２１から第２駆動用ＩＣ２２までの距離とが等しい。また、第１基板３１の第２端部３１２と第２基板３２の第４端部３２２とは、電気光学パネル１００からの距離が等しい。但し、第２基板３２の第４端部３２２が、第１基板３１の第２端部３１２より、第１端子１６１と第２端子１６２のｙ軸方向のずれ分だけ、電気光学パネル１００の側に位置する態様を採用してもよい。かかる態様によれば、第１基板３１における第１端部３１１から第２端部３１２までの長さは、第２基板３２における第３端部３２１から第４端部３２２までの長さと等しくなる。それ故、第２端部３１２から第１駆動用ＩＣ２１までの配線距離と、第４端部３２２から第２駆動用ＩＣ２２までの配線距離とが等しく、第１駆動用ＩＣ２１から第１端部３１１までの配線距離と、第２駆動用ＩＣ２２から第３端部３２１までの配線距離とを等しくすることができる。
【００５５】
以上説明したように、本形態の電気光学装置１において、電気光学パネル１００に第１基板３１および第２基板３２が厚さ方向で重なった状態で接続されており、第１基板３１の第１延在部分３１３と第２基板３２の第３延在部分３２３とは重なった状態で直線的に延在している。このため、電気光学パネル１００の周囲で第１基板３１および第２基板３２を狭いスペース内で引き回すことができる。
【００５６】
この場合でも、第１基板３１の第２延在部分３１４と第２基板３２の第４延在部分３２４とは、ｘ軸方向でずれた位置で延在しているため、第１端子領域３１９と第２端子領域３２９とが厚さ方向で重ならない。このため、第１基板３１の他方端（第２端部３１２、第１端子領域３１９）、および第２基板３２の他方端（第４端部３２２、第２端子領域３２９）を共通の配線基板に接続することができるとともに、接続作業を効率よく行うことができる等、実施形態１と同様な効果を奏する。
【００５７】
図１２に示すように、本形態の電気光学装置１を投射型表示装置２００（電子機器）に搭載する際、実施形態１と同様、第１基板３１および第２基板３２が各々、延在方向の途中位置で厚さ方向の同一方向に曲がった状態で第１端子領域３１９および第２端子領域３２９が共通の配線基板８０に接続される。より具体的には、３つの電気光学装置１（Ｒ）、（Ｇ）、（Ｂ）の各々では、第１基板３１および第２基板３２が各々、延在方向の途中位置でクロスダイクロイックプリズム２２０とは反対側に向けて厚さ方向に湾曲した状態に配置されている。ここで、３つの電気光学装置１（Ｒ）、（Ｇ）、（Ｂ）は、同一の構成を有しており、クロスダイクロイックプリズム２２０を中心に回転対称に配置されている。この状態で、図１１を参照して説明した第１延在部分３１３、第２延在部分３１４、第３延在部分３２３、および第４延在部分３２４は、出射面２２５を含む仮想面Ｆから投射光学系２０６の側に張り出さない。よって、投射光学系２０６においてフォーカシング駆動を行うアクチュエータ等を配置するスペースや、投射光学系２０６の可動領域等を仮想面Ｆの近傍に確保することができる。また、第１端子領域３１９および第２端子領域３２９は、電気光学装置１（Ｒ）、（Ｇ）、（Ｂ）に対する入射光と平行に配置された共通の配線基板８０（第１配線基板８１、第２配線基板８２、および第３配線基板８３）に接続されている。それ故、電気光学装置１（Ｒ）、（Ｇ）、（Ｂ）のいずれにおいても、第１基板３１および第２基板３２の先端側や、配線基板８０に妨げられることなく、電気光学装置１（Ｒ）、（Ｇ）、（Ｂ）に対する入射光の光路を確保することができる。
【００５８】
本形態でも、実施形態１と同様、第１端子領域３１９および第２端子領域３２９が各々、例えば、ボード・ツー・ボードコネクターのプラグとして構成される。従って、第１配線基板８１、第２配線基板８２、および第３配線基板８３の各々に、第１端子領域３１９が挿入されるボード・ツー・ボードコネクターのソケット８０１、および第２端子領域３２９が挿入されるボード・ツー・ボードコネクターのソケット８０２が形成されている。本形態において、ソケット８０１、８０２は、平行に並列するように配置されている。従って、第１端子領域３１９および第２端子領域３２９を各々、ソケット８０１、８０２に容易に挿入することができる。また、３つの電気光学装置１（Ｒ）、（Ｇ）、（Ｂ）の各々では、第１基板３１および第２基板３２の第１端子領域３１９および第２端子領域３２９が共通の配線基板８０に接続されるため、コストを低減することができる。
【００５９】
なお、本形態では、第１端子領域形成部分３１８および第２端子領域形成部分３２８が各々、第２延在部分３１４および第４延在部分３２４から互いに反対側に直角に曲がっていたが、第２延在部分３１４および第４延在部分３２４から互いに反対側に斜めに曲がった後、ｙ軸方向に延在している態様を採用してもよい。この場合、実施形態１と同様、第１基板３１の第２端部３１２（第１端子領域３１９）は、第２基板３２の第４端部３２２（第２端子領域３２９）に対して、第１延在部分３１３の延在方向に対して直交するｘ軸方向でずれた位置において、第１延在部分３１３の延在方向と直交するｘ軸方向に沿って延在する態様とすることができる。また、本形態では、第１端子領域形成部分３１８および第２端子領域形成部分３２８が各々、第２延在部分３１４および第４延在部分３２４から互いに反対側に直角に曲がっていたが、例えば、第１端子領域形成部分３１８のみが第２延在部分３１４から突出している態様であってもよい。
【００６０】
［実施形態３］
図１３は、本発明の実施形態３に係る電気光学装置１の平面的構成を模式的に示す説明図である。図１４は、図１３に示す電気光学装置１をクロスダイクロイックプリズム２２０の周りに配置した様子を模式的に示す説明図である。
【００６１】
図１３に示すように、本実施形態の電気光学装置１は、実施形態１と同様、第１端部３１１が電気光学パネル１００の素子基板１０１の端部に接続された可撓性の第１基板３１と、第１基板３１に厚さ方向で重なった状態で第３端部３２１が電気光学パネル１００の素子基板１０１の端部に接続された可撓性の第２基板３２とを有しており、第１基板３１および第２基板３２は、電気光学パネル１００からｙ軸方向に延在している。
【００６２】
ここで、第１基板３１は、第２基板３２と同一方向に直線的に延在しているが、第２基板３２と異なる長さで延在している。従って、第１基板３１の第２端部３１２（第１端子領域３１９）と、第２基板３２の第４端部３２２（第２端子領域３２９）とは、第１基板３１および第２基板３２の面内方向で位置がずれており、厚さ方向で重なっていない。本形態において、第１基板３１は、第２基板３２より長い。このため、第１基板３１の第２端部３１２（第１端子領域３１９）は、第２基板３２と重なっていないが、第２基板３２の第４端部３２２（第２端子領域３２９）は、第１基板３１の延在方向の途中位置と重なっている。
【００６３】
図１４に示すように、本形態の電気光学装置１を投射型表示装置２００（電子機器）に搭載する際、実施形態１と同様、第１基板３１および第２基板３２が各々、延在方向の途中位置で厚さ方向の同一方向に曲がった状態で第１端子領域３１９および第２端子領域３２９が配線基板８０に接続される。より具体的には、３つの電気光学装置１（Ｒ）、（Ｇ）、（Ｂ）の各々では、第１基板３１および第２基板３２が各々、延在方向の途中位置でクロスダイクロイックプリズム２２０とは反対側に向けて厚さ方向に湾曲した状態に配置されている。従って、第１端子領域３１９および第２端子領域３２９は、電気光学装置１（Ｒ）、（Ｇ）、（Ｂ）に対する入射光と平行に配置された共通の配線基板８０（第１配線基板８１、第２配線基板８２、および第３配線基板８３）に接続されている。それ故、電気光学装置１（Ｒ）、（Ｇ）、（Ｂ）のいずれにおいても、第１基板３１および第２基板３２の先端側や、配線基板８０に妨げられることなく、電気光学装置１（Ｒ）、（Ｇ）、（Ｂ）に対する入射光の光路を確保することができる。ここで、３つの電気光学装置１（Ｒ）、（Ｇ）、（Ｂ）は、同一の構成を有しており、クロスダイクロイックプリズム２２０を中心に回転対称に配置されている。
【００６４】
本形態でも、実施形態１と同様、第１端子領域３１９および第２端子領域３２９が各々、例えば、ボード・ツー・ボードコネクターのプラグとして構成される。従って、第１配線基板８１、第２配線基板８２、および第３配線基板８３の各々に、第１端子領域３１９が挿入されるボード・ツー・ボードコネクターのソケット８０１、および第２端子領域３２９が挿入されるボード・ツー・ボードコネクターのソケット８０２が形成されている。本形態において、ソケット８０１、８０２は、平行に並列するように配置されている。ここで、第１端子領域３１９と第２端子領域３２９とが厚さ方向で重なっていない。このため、第１基板３１の他方端（第２端部３１２、第１端子領域３１９）を配線基板８０に接続した後、第２基板３２の他方端（第４端部３２２、第２端子領域３２９）を配線基板８０に接続する際、第１基板３１が邪魔にならないので、接続作業を効率よく行うことができる。また、電気光学装置１（Ｒ）、（Ｂ）の各々において、第１基板３１および第２基板３２は、出射面２２５を含む仮想面からｂ軸方向の一方側ｂ１（図１に示す投射光学系２０６が位置する側）に張り出さない。よって、投射光学系２０６においてフォーカシング駆動を行うアクチュエータ等を配置するスペースや、投射光学系２０６の可動領域等をクロスダイクロイックプリズム２２０の近傍に確保することができる。
【００６５】
［実施形態４］
図１５は、本発明の実施形態４に係る投射型表示装置２００（電子機器）において、電気光学装置１をクロスダイクロイックプリズム２２０の周りに配置した様子を模式的に示す説明図である。本実施形態において、電気光学装置１は、図１３を参照した実施形態３と同様であり、第１基板３１は、第２基板３２と同一方向に直線的に延在しているが、第２基板３２と異なる長さで延在している。本形態において、第１基板３１は、第２基板３２より長い。このため、第１基板３１の第２端部３１２（第１端子領域３１９）は、第２基板３２と重なっていないが、第２基板３２の第４端部３２２（第２端子領域３２９）は、第１基板３１の延在方向の途中位置と重なっている。
【００６６】
図１５に示すように、本形態の電気光学装置１を投射型表示装置２００（電子機器）に搭載する際、実施形態３と同様、第１基板３１および第２基板３２が各々、延在方向の途中位置で厚さ方向の同一方向に曲がった状態で第１端子領域３１９および第２端子領域３２９が配線基板８０に接続される。より具体的には、３つの電気光学装置１（Ｒ）、（Ｇ）、（Ｂ）の各々では、第１基板３１および第２基板３２が各々、延在方向の途中位置でクロスダイクロイックプリズム２２０とは反対側に向けて厚さ方向に湾曲した状態に配置され、第１端子領域３１９および第２端子領域３２９は、配線基板８０に接続されている。
【００６７】
ここで、３つの電気光学装置１（Ｒ）、（Ｇ）、（Ｂ）のいずれにおいても、第１端子領域３１９は、第２端子領域３２９よりクロスダイクロイックプリズム２２０から離間した位置にある。従って、電気光学装置１（Ｇ）では、第１基板３１の第１端子領域３１９は、配線基板８６１のソケット８０６に接続され、第２端子領域３２９は、配線基板８６１に部分的に重なる別の配線基板８６２のソケット８０７に接続されている。電気光学装置１（Ｒ）では、第１基板３１の第１端子領域３１９は、配線基板８７１のソケット８０６に接続され、第２端子領域３２９は、配線基板８７１に重なる別の配線基板８７２のソケット８０７に接続されている。電気光学装置１（Ｂ）では、第１基板３１の第１端子領域３１９は、配線基板８８１のソケット８０６に接続され、第２端子領域３２９は、配線基板８８１に重なる別の配線基板８８２のソケット８０７に接続されている。
【００６８】
このように本形態では、第１基板３１および第２基板３２は、互いに重なった状態で同一方向に延在しているが、第１端子領域３１９と第２端子領域３２９とが厚さ方向で重なっていない。このため、第２端子領域３２９を配線基板８８２に接続した後、第１端子領域３１９を配線基板８８１に接続する際、第２基板３２が邪魔にならないので、接続作業を容易に行うことができる。また、本形態でも、実施形態３と同様、電気光学装置１（Ｒ）、（Ｂ）の各々において、第１基板３１および第２基板３２は、出射面２２５を含む仮想面からｂ軸方向の一方側ｂ１（図１に示す投射光学系２０６が位置する側）に張り出さない。よって、投射光学系２０６においてフォーカシング駆動を行うアクチュエータ等を配置するスペースや、投射光学系２０６の可動領域等をクロスダイクロイックプリズム２２０の近傍に確保することができる。
【００６９】
［実施形態５］
図１６は、本発明の実施形態５に係る電気光学装置１の分解斜視図である。図１７は、図１６に示す電気光学装置１の断面構成を示す説明図である。図１６に示すように、本形態の電気光学装置１も、実施形態２と同様、第１端部３１１が電気光学パネル１００の素子基板１０１に接続された可撓性の第１基板３１と、第１基板３１に厚さ方向で重なった状態で第３端部３２１が電気光学パネル１００の素子基板１０１に接続された可撓性の第２基板３２とを有しており、第１基板３１および第２基板３２は、電気光学パネル１００からｙ軸方向に延在している。第１基板３１には、複数の端子（図示せず）が配列された第１端子領域３１９が第１端部３１１とは反対側の第２端部３１２に設けられ、第２基板３２には、複数の端子（図示せず）が配列された第２端子領域３２９が第３端部３２１とは反対側の第４端部３２２に設けられている。
【００７０】
このように構成した電気光学装置１において、第１基板３１は、電気光学パネル１００に接続された一方端５１１から直線状に延在した可撓性の基板に第１駆動用ＩＣ２１が実装された第３基板５１と、第３基板５１の他方端５１２に一方端４１１が接続された可撓性の第４基板４１とを備えており、第４基板４１の他方端４１２に第１端子領域３１９が設けられている。ここで、第３基板５１は、図１１を参照して説明した第１延在部分３１３を構成し、第４基板４１は、図１１を参照して説明した第２延在部分３１４、および第１端子領域形成部分３１８を構成している。
【００７１】
第２基板３２も、第１基板３１と同様、電気光学パネル１００に接続された一方端５２１から直線状に延在した可撓性の基板に第２駆動用ＩＣ２２が実装された第５基板５２と、第５基板５２の他方端５２２に一方端４２１が接続された可撓性の第６基板４２とを備えており、第６基板４２の他方端４２２に第２端子領域３２９が設けられている。ここで、第５基板５２は、図１１を参照して説明した第３延在部分３２３を構成し、第６基板４２は、図１１を参照して説明した第４延在部分３２４、および第２端子領域形成部分３２８を構成している。
【００７２】
かかる態様によれば、第１基板３１および第２基板３２の一部のみに高価なＣＯＦ基板（第３基板５１および第５基板５２）を用い、安価な延長基板（第４基板４１および第６基板４２）によって第１基板３１および第２基板３２を適正な長さとすることができる。それ故、コストを低減することができる。
【００７３】
また、第３基板５１と第５基板５２とは、形状および長さ等が同一であり、同一仕様のＣＯＦ基板からなる。それ故、コストを低減することができる。
【００７４】
なお、本形態では、実施形態２の電気光学装置１において、第１基板３１および第２基板３２の各々をＣＯＦ基板と延長基板とを接続した態様であったが、かかる態様は、実施形態１、３、４に係る電気光学装置１に適用してもよい。
【００７５】
［他の実施の形態］
上記実施の形態では、電気光学パネル１００に重なるように接続された２つの基板のうち、下側（電気光学パネル１００の側）に位置する基板を「第２基板」とし、上側（電気光学パネル１００とは反対側）に位置する基板を「第１基板」としたが、下側（電気光学パネル１００の側）に位置する基板を「第１基板」とし、上側（電気光学パネル１００とは反対側）に位置する基板を「第２基板」としてもよい。
【００７６】
上記実施の形態１、２では、第１端子領域３１９および第２端子領域３２９を共通の配線基板８０に接続したが、上記実施の形態１、２においても、実施形態４と同様、第１端子領域３１９および第２端子領域３２９を各々、別の配線基板８０に接続してもよい。
【００７７】
上記実施の形態では、電気光学パネル１００に接続された基板が２つの場合を例示したが、基板が３以上の場合に本発明を適用してもよい。
【００７８】
上記実施の形態では、第１端子領域３１９および第２端子領域３２９をコネクタを介して配線基板８０に接続したが、第１端子領域３１９および第２端子領域３２９をハンダ付けや異方性導電膜によって配線基板８０に接続する場合に本発明を適用してもよい。
【００７９】
上記実施形態では、透過型の電気光学パネル１００を備えた電気光学装置１を例示したが、反射型の電気光学パネル１００を備えた電気光学装置１に本発明を適用してもよい。
【００８０】
上記実施形態では、電気光学パネル１００が液晶パネルであったが、電気光学パネル１００が、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等である場合に本発明を適用してもよい。
【００８１】
上記投射型表示装置２００においては、光源部として、各色の光を出射するＬＥＤ光源等を用い、かかるＬＥＤ光源から出射された色光を各々、別の液晶装置に供給するように構成してもよい。
【００８２】
上記実施形態では、本発明を適用した電気光学装置１を備えた電子機器として投射型表示装置２００を例示したが、投射型のＨＵＤ（ヘッドアップディスプレイ）や直視型のＨＭＤ（ヘッドマウントディスプレイ）、パーソナルコンピューター、デジタルスチルカメラ、液晶テレビ等の電子機器に用いる電気光学装置１に本発明を適用してもよい。
【符号の説明】
【００８３】
１…電気光学装置、１（Ｇ）…電気光学装置（第１電気光学装置）、１（Ｂ）…電気光学装置（第２電気光学装置）、１（Ｒ）…電気光学装置（第３電気光学装置）、２１…第１駆動用ＩＣ、２２…第２駆動用ＩＣ、３１…第１基板、３２…第２基板、４１…第４基板、４２…第６基板、５１…第３基板、５２…第５基板、７０…ホルダー、８０…配線基板、８１…第１配線基板、８２…第２配線基板、８３…第３配線基板、１００…電気光学パネル、１０１…素子基板、１０２…対向基板、１６１…第１端子、１６２…第２端子、２００…投射型表示装置、２０６…投射光学系、２０８…光源部、２０９…光学ユニット、２２０…クロスダイクロイックプリズム、
２２１…第１入射面、２２２…第２入射面、２２３…第３入射面、２２５…出射面、３１１…第１端部、３１２…第２端部、３１３…第１延在部分、３１４…第２延在部分、３１５…第１出力電極、３１８…第１端子領域形成部分、３１９…第１端子領域、３２１…第３端部、３２２…第４端部、３２３…第３延在部分、３２４…第４延在部分、３２５…第２出力電極、３２８…第２端子領域形成部分、３２９…第２端子領域、８０１、８０２…ソケット。
【図１】
2019113722.tif 000003
【図２】
2019113722.tif 000004
【図３】
2019113722.tif 000005
【図４】
2019113722.tif 000006
【図５】
2019113722.tif 000007
【図６】
2019113722.tif 000008
【図７】
2019113722.tif 000009
【図８】
2019113722.tif 000010
【図９】
2019113722.tif 000011
【図１０】
2019113722.tif 000012
【図１１】
2019113722.tif 000013
【図１２】
2019113722.tif 000014
【図１３】
2019113722.tif 000015
【図１４】
2019113722.tif 000016
【図１５】
2019113722.tif 000017
【図１６】
2019113722.tif 000018
【図１７】
2019113722.tif 000019
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
電気光学パネルと、
第１端部が前記電気光学パネルに接続され、複数の端子が配列された第１端子領域が前記第１端部とは反対側の第２端部に設けられた可撓性を有する第１基板と、
第３端部が前記電気光学パネルに接続され、複数の端子が配列された第２端子領域が前記第３端部とは反対側の第４端部に設けられた可撓性を有する第２基板と、
を有し、
前記第１基板および前記第２基板を同じ平面上に展開したとき、
前記第１基板と前記第２基板の一部は、前記平面上で重なっており、
前記第１端子領域と前記第２端子領域とは、前記平面上で異なる位置にあることを特徴とする電気光学装置。
【請求項２】
請求項１に記載の電気光学装置において、
前記第１基板および前記第２基板を同じ平面上に展開したとき、
前記第１基板は、
前記第１端部から前記第２端部に向かう途中まで延在した第１延在部分と、
前記第２端部を含み、前記第１端子領域が形成された第１端子領域形成部分と、
前記第１延在部分から前記第１端子領域形成部分まで延在した第２延在部分と、を備え、
前記第２基板は、
前記第３端部から前記第４端部に向かう途中まで前記第１延在部分と前記厚さ方向で重なるように延在した第３延在部分と、
前記第４端部を含み、前記第２端子領域が形成された第２端子領域形成部分と、
前記第１端子領域形成部分と前記第２端子領域形成部分とが前記厚さ方向で重ならないように、前記第３延在部分の延在方向に対して交差する方向に曲がって前記第３延在部分から前記第２端子領域形成部分まで延在した第４延在部分と、
を備えていることを特徴とする電気光学装置。
【請求項３】
請求項２に記載の電気光学装置において、
前記第１基板および前記第２基板を同じ平面上に展開したとき、
前記第２延在部分は、前記第１延在部分と同一方向に延在していることを特徴とする電気光学装置。
【請求項４】
請求項３に記載の電気光学装置において、
前記第１基板および前記第２基板を同じ平面上に展開したとき、
前記第１端子領域および前記第２端子領域は各々、前記第１延在部分の延在方向に対して交差する方向に沿って延在していることを特徴とする電気光学装置。
【請求項５】
請求項１に記載の電気光学装置において、
前記第１基板および前記第２基板を同じ平面上に展開したとき、
前記第１基板は、
前記第１端部から前記第２端部に向かう途中まで延在した第１延在部分と、
前記第２端部を含み、前記第１端子領域が形成された第１端子領域形成部分と、
前記第１延在部分から前記第１端子領域形成部分まで延在した第２延在部分と、を備え、
前記第２基板は、
前記第３端部から前記第４端部に向かう途中まで前記第１延在部分と前記厚さ方向で重なるように延在した第３延在部分と、
前記第４端部を含み、前記第２端子領域が形成された第２端子領域形成部分と、
前記第２延在部分と前記厚さ方向で重なるように前記第３延在部分から前記第２端子領域形成部分まで延在した第４延在部分と、
を備えていることを特徴とする電気光学装置。
【請求項６】
請求項５に記載の電気光学装置において、
前記第１端子領域および前記第２端子領域は各々、前記第１延在部分の延在方向に沿って延在していることを特徴とする電気光学装置。
【請求項７】
請求項１に記載の電気光学装置において、
前記第１基板は、前記第２基板と同一方向に前記第２基板と異なる長さで延在していることを特徴とする電気光学装置。
【請求項８】
請求項１から７までの何れか一項に記載の電気光学装置において、
前記第１延在部分および前記第３延在部分の各々に駆動用ＩＣが実装されていることを
特徴とする電気光学装置。
【請求項９】
請求項８に記載の電気光学装置において、
前記第１基板は、
前記電気光学パネルに接続された一方端から延在した可撓性の基板に前記駆動用ＩＣが実装された第３基板と、
前記第３基板の他方端に接続され、前記第１端子領域が設けられた可撓性の第４基板と、を備え、
前記第２基板は、
前記電気光学パネルに接続された一方端から延在した可撓性の基板に前記駆動用ＩＣが実装された第５基板と、
前記第５基板の他方端に接続され、前記第２端子領域が設けられた可撓性の第６基板と、
を備えていることを特徴とする電気光学装置。
【請求項１０】
請求項９に記載の電気光学装置において、
前記第３基板と前記第５基板とは、形状および長さが同一であることを特徴とする電気光学装置。
【請求項１１】
請求項１から１０までの何れか一項に記載の電気光学装置を備えた電子機器であって、
前記第１基板および前記第２基板が各々、延在方向の途中位置で前記厚さ方向の同一方向に曲がった状態で前記第１端子領域および前記第２端子領域が配線基板に接続されていることを特徴とする電子機器。
【請求項１２】
請求項１１に記載の電子機器において、
前記第１端子領域および前記第２端子領域は、共通の前記配線基板に接続されていることを特徴とする電子機器。
【請求項１３】
請求項１から１０までの何れか一項に記載の電気光学装置を複数、備えた投射型表示装置であって、
前記複数の電気光学装置の各々に入射する光源光を出射する光源部と、
前記複数の電気光学装置の各々によって変調された光を合成するクロスダイクロイックプリズムと、
前記クロスダイクロイックプリズムの出射面から出射された画像光を投射する投射光学系と、
を有し、
前記複数の電気光学装置には、
前記クロスダイクロイックプリズムの出射面に対向する第１入射面に対向する第１電気光学装置と、
前記クロスダイクロイックプリズムの前記出射面と前記第１入射面との間に位置する第２入射面に対向する第２電気光学装置と、
前記クロスダイクロイックプリズムの前記第２入射面に対向する第３入射面に対向する第３電気光学装置と、が含まれ、
前記第１電気光学装置、前記第２電気光学装置、および前記第３電気光学装置の各々では、前記第１基板および前記第２基板が各々、延在方向の途中位置で前記クロスダイクロイックプリズムとは反対側に向けて前記厚さ方向に曲がった状態で前記第１端子領域および前記第２端子領域が配線基板に接続されていることを特徴とする投射型表示装置。
【請求項１４】
請求項１３に記載の投射型表示装置において、
前記第１端子領域および前記第２端子領域は、共通の前記配線基板に接続されていることを特徴とする投射型表示装置。
【請求項１５】
請求項２または３に記載の電気光学装置を複数、備えた投射型表示装置であって、
前記複数の電気光学装置の各々に入射する光源光を出射する光源部と、
前記複数の電気光学装置の各々によって変調された光を合成するクロスダイクロイックプリズムと、
前記クロスダイクロイックプリズムの出射面から出射された画像光を投射する投射光学系と、
を有し、
前記複数の電気光学装置には、
前記クロスダイクロイックプリズムの出射面に対向する第１入射面に対向する第１電気光学装置と、
前記クロスダイクロイックプリズムの前記出射面と前記第１入射面との間に位置する第２入射面に対向する第２電気光学装置と、
前記クロスダイクロイックプリズムの前記第２入射面に対向する第３入射面に対向する第３電気光学装置と、が含まれ、
前記第１電気光学装置、前記第２電気光学装置、および前記第３電気光学装置の各々では、前記第１基板および前記第２基板が各々、延在方向の途中位置で前記クロスダイクロイックプリズムとは反対側に向けて前記厚さ方向に曲がった状態で前記第１端子領域および前記第２端子領域が配線基板に接続され、
前記第２電気光学装置および前記第３電気光学装置の各々では、前記第４延在部分の曲がった方向が、前記投射光学系とは反対側の方向であることを特徴とする投射型表示装置。
【請求項１６】
請求項１３から１５の何れか一項に記載の投射型表示装置において、
前記第２電気光学装置および前記第３電気光学装置の各々は、前記第１延在部分、前記第２延在部分、前記第３延在部分、および前記第４延在部分が前記出射面を含む仮想面から前記投射光学系の側に張り出していないことを特徴とする投射型表示装置。